(57)【特許請求の範囲】
【請求項１】
板面にドットにより第１図柄が描かれた図柄表示板と、図柄表示板の背面に貼着された背面投影スクリーンと、背面投影スクリーンの後ろ側に配置された第２図柄の投光部材と、図柄表示板の端面から内部に光を入射させて第１図柄を表示する第１光源と、投光部材の後方に配置されて第２図柄を背面投影スクリーンに表示する第２光源とを有する図柄表示装置であって、
第１光源及び第２光源として、それぞれ色彩の異なる複数の光源を用いるとともに、前記投光部材を、背面投影スクリーンに表示される第２図柄が描かれた、光透過性を有する立体形状のものとしたことを特徴とする図柄表示装置。
【請求項２】
第１光源及び第２光源として、フルカラーＬＥＤを用い、それぞれ色彩を異ならせた請求項１に記載の図柄表示装置。
【発明の詳細な説明】
【技術分野】
【０００１】
本発明は、透光性の図柄表示板に異なった図柄を選択的に表示できる図柄表示装置に関する。
【背景技術】
【０００２】
複数の図柄を表示できる図柄表示装置として、例えば特許文献１、２に開示されたものがある。特許文献１のものは、特定図柄として色が異なる２種類の図柄の表示を可能にしたものである。すなわち、ランプ制御手段が特定図柄に可視光線を照射して通常図柄を表示し、特定図柄に紫外線を照射して通常図柄とは色が異なる蛍光図柄を表示することができる。しかしながら、この発明においては、図柄の色を変えることはできるが、図柄の内容そのものを切り替えることはできず、この図柄表示装置をパチンコ等に用いた場合、遊技の興趣を盛り上げる効果が小さいという欠点があった。
【０００３】
また、特許文献２には、異なる波長の光を照射する複数の光源と、その光源のうち少なくとも一つの波長の光を透過させる色材で描かれた図柄とにより、同一平面上に異なる図柄を表示するようにした発明が記載されている。しかしながら、この発明においては、図柄の色と内容を切り替えて表示することはできるが、特定の図柄において色を変えることはできず特定の波長光で一色でしか表示することができないという欠点があった。
【先行技術文献】
【特許文献】
【０００４】
【特許文献１】特開２００１−１９０７３５号公報
【特許文献２】実開昭６３−１３５３８６号公報
【発明の概要】
【発明が解決しようとする課題】
【０００５】
本発明は、上記した従来の問題点に鑑み、複数の図柄のそれぞれを複数の色彩で表示することができる図柄表示装置を提供することを課題とする。
【課題を解決するための手段】
【０００６】
上記の課題を解決するためになされた本発明に係る図柄表示装置は、板面にドットにより第１図柄が描かれた図柄表示板と、図柄表示板の背面に貼着された背面投影スクリーンと、背面投影スクリーンの後ろ側に配置された第２図柄の投光部材と、図柄表示板の端面から内部に光を入射させて第１図柄を表示する第１光源と、投光部材の後方に配置されて第２図柄を背面投影スクリーンに表示する第２光源とを有する図柄表示装置であって、
第１光源及び第２光源として、それぞれ色彩の異なる複数の光源を用いるとともに、前記投光部材を、背面投影スクリーンに表示される第２図柄が描かれた、光透過性を有する立体形状のものとしたことを特徴とするものである。
【０００７】
上記した発明において、第１光源及び第２光源として、フルカラーＬＥＤを用い、それぞれ色彩を異ならせることができる。
【発明の効果】
【０００８】
請求項１に係る発明は、第１光源及び第２光源として用いる光の色彩を切り替えることにより、第１図柄及び第２図柄の表示される色彩を複数に変化させることができる。第１光源と第２光源を交互に点灯することにより第１図柄と第２図柄を入れ替えて表示することができる。また、投光部材に描かれた第２図柄を背面投影スクリーンに立体的に表示することができ、遊技の興趣を盛り上げることができる。
請求項２に係る発明は、光源としてフルカラーＬＥＤを用い、それぞれ色彩を異ならせたので、第１図柄、第２図柄を任意の異なる色で表示することができる。
【図面の簡単な説明】
【０００９】
【図１】本実施形態である図柄表示装置の概略構成図である。
【図２】第１図柄の表示状態を例示する説明図である。
【図３】第２図柄の表示状態を例示する説明図である。
【発明を実施するための形態】
【００１０】
以下に、本発明の実施形態に付いて説明する。
図１は、本実施形態である図柄表示装置を示す図である。図柄表示装置は、図柄表示板１と、図柄表示板１の裏面に貼着された背面投影スクリーン２と、背面投影スクリーン２の後ろ側に配置された第２図柄の投光部材３と、図柄表示板１の端面に向けて投光する第１光源４と、投光部材３の後方に配置された第２光源５とを備えている。
【００１１】
図柄表示板１として、透明度の高いアクリル樹脂などのプラスチック板の表面に、微細な凹凸であるドット６により第１図柄が描かれたものを用いる。ドット６の形成は、レーザー彫刻やブラスト加工により形成することができる。また、印刷機材の表面に文字、絵などの図柄がインクの凹凸によって描かれた印刷パターンを、プラスチック板の表面に熱転写することによってもドット６を形成することができる。熱転写によりドット６を形成した場合には、生産性が高くレーザー彫刻等よりも図柄表示板１を低コストで製造でき、さらにレーザー彫刻とは違い微細なドット表現が可能なため自然光の下では図柄があまり目立たず一見すると何も描かれていないように見えるという利点がある。なお、図柄表示板１の端面から照射された光がドット６によって乱反射することで遊技者は図柄を視認することができるため、ドット６は図柄表示板１の遊技者と反対側の裏面に形成することが望ましい。
【００１２】
背面投影スクリーン２は、スクリーンの後面から投影した図柄をスクリーンの前面から視認できるものであって、ＰＥＴなどの透明な樹脂シートの表面にグレーやホワイト等の色の光拡散層が形成されたものを用いることができる。グレー等の暗い色の光拡散層が形成されたスクリーンを用いた場合には、後方の投光部材３を遊技者側の前面から視認不能とするので望ましい。
【００１３】
本実施形態における投光部材３は、第２図柄が描かれた光透過性を有する立体形状のもの（３Ｄレンズ）３ｂである。このような３Ｄレンズ３ｂを用いることによって背面投影スクリーン２に第２図柄を立体的に表示することができる。３Ｄレンズ３ｂは背面投影スクリーン２に密着されていてもよく、小さい隙間をもって離間されていてもよい。
【００１４】
第１光源４と第２光源５とを点灯していない場合には、図柄表示板１のドット６が目立たないため表示装置には何も図柄が見えない。しかし、第１光源４を点灯して図柄表示板１の端面から光を内部に入射すると、ドット６による光の乱反射により遊技者は第１図柄を視認することができる。また、第２光源５を点灯して３Ｄレンズ３ｂの背面に光を照射すると背面投影スクリーン２に第２画像を映し出す。第１光源４，第２光源５のそれぞれを複数の色彩を発光可能なものとすることにより、第１画像、第２画像の色彩を変えることができる。第１光源４と第２光源５とを交互に点灯することにより、第１画像と第２画像を交互に表示することができる。第１光源４、第２光源５として、フルカラーＬＥＤ（３色ＬＥＤ）を用いた場合には、それぞれの図柄を任意の色彩で表示することができる。フルカラーＬＥＤとは、赤・緑・青の３つのＬＥＤが一つのパッケージに封印されたもので、３つのＬＥＤの明るさを変えることで無限の色を表示できる。
【００１５】
以上のように構成された図柄表示装置において、第１光源４と第２光源５とを交互の点灯させることにより、第１図柄と第２図柄を交互に表示することができる。そして、それぞれの光源の色彩を変えることにより、第１図柄と第２図柄の色彩を複数に変化させることができる。フルカラーＬＥＤを用いた場合には、白・紫・青・青緑・緑・黄・赤等に変化させることができる。また、第１光源４と第２光源５を同時に点灯した場合には、第２図柄の上に第１図柄を重ねて表示することもできる。
【００１６】
【００１７】
例えばパチンコ機において、図柄表示板１にドット６により第１図柄として「大当たり」を描いておき、第２図柄として中央部分が高い星形の３Ｄレンズを用いた場合には、図２に示すような「大当たり」の図柄と、図３に示すような星形の立体的な図柄とを交互に表示したり、重ねて表示したりすることができる。星形の図柄においては、３Ｄレンズの中央に向かうに従い高く形成してあってさらに背面投影スクリーン２とも距離が近いため、中央のＰ点が最も明るく輝き、さらに輪郭がはっきりと現れることになる。このようにして、陰影差と鮮明差とによって星形が立体的に表示される。遊技が大当たりとなったときに、「大当たり」の第１図柄と、立体的な星形の第２図柄とを色彩を変えつつ交互に表示して、遊技の興趣を大きく盛り上げることができる。
【符号の説明】
【００１８】
１  図柄表示板、２  背面投影スクリーン、３  投光部材、４  第１光源、５  第２光源、６  ドット
【図１】
0005651840.tif 000002
【図２】
0005651840.tif 000003
【図３】
0005651840.tif 000004